(57)【要約】      （修正有）【課題】左右の建物が大きく揺れ動いても、その揺れ動きを吸収することができるとともに、十分な強度と美観の向上を図ることができる壁用目地装置を提供する。【解決手段】目地部２を介して建てられた左右の建物３の壁面に所定間隔離間されて設けられたヒンジ部材５と、このヒンジ部材５の他方のヒンジ部材５の可動部材にそれぞれ固定されたリンク支持アーム６と、一端部が一方のヒンジ部材５の可動部材に枢支され、他端部がリンク支持アーム６に枢支された伸縮リンク装置９と、この伸縮リンク装置９の複数個の中央枢支部８およびリンク支持アーム６の枢支部１１に枢支された、リンク支持アーム６側の支持部が順次高く、かつ中央枢支部８間の寸法のほぼ半分の寸法部位で重なり合うカバー部１４を有するほぼアングル状の複数個の目地カバー１５とで壁用目地装置１を構成している。【選択図】図２
2012233368.tif 000002
【特許請求の範囲】
【請求項１】
目地部を介して建てられた左右の建物の目地部の開口端部側の左右の壁面に所定間隔離間されて設けられた少なくとも２対のヒンジ部材と、この少なくとも２対のヒンジ部材の他方のヒンジ部材の可動部材にそれぞれ固定された、前記開口端部より後方へ突出されるリンク支持アームと、一端部が前記少なくとも２対のヒンジ部材の一方のヒンジ部材の可動部材に枢支され、他端部が前記リンク支持アームに枢支された同一間隔となる中央枢支部を複数個有する伸縮可能な少なくとも２個以上の伸縮リンク装置と、この少なくとも２個以上の伸縮リンク装置の複数個の中央枢支部および前記リンク支持アームの枢支部に枢支された、該リンク支持アーム側の支持部が順次高く、かつ中央枢支部間の寸法のほぼ半分の寸法部位で重なり合うカバー部を有するほぼアングル状の複数個の目地カバーとからなることを特徴とする壁用目地装置。
【請求項２】
伸縮リンク装置は複数個の中央枢支部を有するパンタグラフ形状のもの、あるいは四角枠形状のリンクの一方の対向するアームに所定間隔で複数個の中間アームを枢支し、前記四角枠形状のリンクの対向する角部の枢支部間に位置するように、前記複数個のアームに中央枢支部を形成したものであることを特徴とする請求項１記載の壁用目地装置。
【発明の詳細な説明】
【技術分野】
【０００１】
本発明は目地部を介して建てられた左右の建物の壁面間の目地部を覆う壁用目地装置に関する。
【背景技術】
【０００２】
従来、左右の建物の壁面間を覆う壁用目地装置は、左右の壁面間に該壁面と直角状態となるように設けられた伸縮リンク装置に重なり合ってスライド移動する中央目地カバーと、両側部に固定目地カバーを備えるような構成になっていた。
このため、左右の壁面間の目地部の幅寸法の３分の１の幅寸法の中央目地カバーが必要で、左右の建物は中央目地カバーの幅寸法までしか地震時の揺れ動きを吸収することができないという欠点があった。
【先行技術文献】
【特許文献】
【０００３】
【特許文献１】特許第３３８８７１７号公報
【発明の概要】
【発明が解決しようとする課題】
【０００４】
本発明は以上のような従来の欠点に鑑み、左右の建物が大きく揺れ動いても、その揺れ動きを吸収することができるとともに、十分な強度と美観の向上を図ることができる壁用目地装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００６】
上記目的を達成するために、本発明は目地部を介して建てられた左右の建物の目地部の開口端部側の左右の壁面に所定間隔離間されて設けられた少なくとも２対のヒンジ部材と、この少なくとも２対のヒンジ部材の他方のヒンジ部材の可動部材にそれぞれ固定された、前記開口端部より後方へ突出されるリンク支持アームと、一端部が前記少なくとも２対のヒンジ部材の一方のヒンジ部材の可動部材に枢支され、他端部が前記リンク支持アームに枢支された同一間隔となる中央枢支部を複数個有する伸縮可能な少なくとも２個以上の伸縮リンク装置と、この少なくとも２個以上の伸縮リンク装置の複数個の中央枢支部および前記リンク支持アームの枢支部に枢支された、該リンク支持アーム側の支持部が順次高く、かつ中央枢支部間の寸法のほぼ半分の寸法部位で重なり合うカバー部を有するほぼアングル状の複数個の目地カバーとで壁用目地装置を構成している。
【発明の効果】
【０００７】
以上の説明から明らかなように、本発明にあっては次に列挙する効果が得られる。
（１）請求項１により、目地部が狭くなるように地震で左右の建物が揺れ動いた場合、ほぼアングル状の複数個の目地カバーが重ね合せ収納できる椅子のように重なり合って、その揺れ動きを吸収することができる。
この時、ほぼアングル状の複数個の目地カバーの先端部はほぼ同一面で、かつ等間隔となるように位置するため、見苦しくなることなく、安全に使用できる。
（２）前記（１）により、少なくとも２個以上の伸縮リンク装置の両端部はヒンジ部材を介して左右の建物の壁面に取付けられているので、左右の建物が異なる左右前後方向に揺れ動いても、その揺れ動きを吸収することができる。
（３）前記（１）により、左右の建物の壁面間の目地部が狭くても、少なくとも２個以上の伸縮リンク装置を傾斜状態で配置しているため、比較的大きな幅寸法の複数個の目地カバーを使用することができる。
したがって、目地部が狭くなったり、広くなったりする地震での揺れ動きを確実に吸収することができる。
（４）請求項２も前記（１）〜（３）と同様な効果が得られるとともに、パンタグラフ形状の伸縮リンク装置を用いると、目地部の幅寸法が広い所に容易に設置することができ、四角枠形状の伸縮リンク装置を用いると、強度の向上を図ることができる。
【図面の簡単な説明】
【０００８】
【図１】本発明を実施するための第１の形態の正面図。
【図２】図１の２−２線に沿う断面図。
【図３】本発明を実施するための第１の形態の他方のヒンジ部材の説明図。
【図４】本発明を実施するための第１の形態の一方のヒンジ部材の説明図。
【図５】本発明を実施するための第１の形態の伸縮リンク装置の説明図。
【図６】本発明を実施するための第１の形態の目地部が狭くなった動作説明図。
【図７】本発明を実施するための第１の形態の目地部が広くなった動作説明図。
【図８】本発明を実施するための第１の形態の異なる前後方向の一方の動作説明図。
【図９】本発明を実施するための第１の形態の異なる前後方向の他方の動作説明図。
【図１０】本発明を実施するための第２の形態の正面図。
【図１１】図１０の１１−１１線に沿う断面図。
【図１２】ヒンジ部材を取付けた伸縮リンク装置の正面図。
【図１３】ヒンジ部材を取付けた伸縮リンク装置の平面図。
【図１４】本発明を実施するための第３の形態の正面図。
【図１５】図１４の１５−１５線に沿う断面図。
【図１６】ヒンジ部材を取付けた伸縮リンク装置の正面図。
【図１７】ヒンジ部材を取付けた伸縮リンク装置の平面図。
【発明を実施するための形態】
【０００９】
以下、図面に示す本発明を実施するための形態により、本発明を詳細に説明する。
【００１０】
図１ないし図９に示す本発明を実施するための第１の形態において、１は目地部２を介して建てられた左右の建物３、３の目地部の開口端部４側の左右の壁面３ａ、３ａに両端部が取付けられた本発明の壁用目地装置で、この壁用目地装置１は前記左右の壁面３ａ、３ａに所定間隔離間されて設けられた少なくとも２対のヒンジ部材５、５、５、５と、この少なくとも２対のヒンジ部材５、５、５、５の他方のヒンジ部材５、５の可動部材５ａ、５ａに一体あるいは固定された、前記開口端部４より後方へ突出されるリンク支持アーム６、６と、一端部が前記少なくとも２対のヒンジ部材５、５、５、５の一方のヒンジ部材５、５の持出状に形成された可動部材５ｂ、５ｂの枢支部１０に枢支ピン７、７で枢支され、他端部が前記リンク支持アーム６、６の遊端部の枢支部１１に枢支ピン７、７で枢支された同一間隔となる複数個、本発明の実施の形態では４個の中央枢支部８、８、８、８を有するパンタグラフ形状の伸縮可能な少なくとも２個以上の伸縮リンク装置９、９と、この少なくとも２個以上の伸縮リンク装置９、９の可動部材５ｂ、５ｂの枢支部１０、４個の中央枢支部８、８、８、８および前記リンク支持アーム６の枢支部１１に枢支ピン７でそれぞれ枢支された、該リンク支持アーム６側の支持片１２、１２a、１２ｂ、１２ｃ、１２ｄ、１２ｅが順次高く、かつ中央枢支部８、８、８、８、８間の寸法のほぼ半分の寸法部位で重なり合う先端部が折り曲げられた支持部１３が形成されたカバー部１４、１４a、１４ｂ、１４ｃ、１４ｄ、１４ｅを有するほぼアングル状の複数個、本発明の実施の形態では６個の目地カバー１５、１５ａ、１５ｂ、１５ｃ、１５ｄ、１５ｅと、この６個の目地カバー１５、１５ａ、１５ｂ、１５ｃ、１５ｄ、１５ｅの左右の壁面３ａ、３ａ側の目地カバー１５、１５ｅと左右の壁面３ａ、３ａとの間の隙間を覆うシール剤層１６、１６と、前記少なくとも２個以上の伸縮リンク装置９、９の背面を覆う弧状に配置された両端部が左右の壁面３ａ、３ａに取付けられた防水シート１７とで構成されている。
【００１１】
上記構成の壁用目地装置１は、通常時は左右の壁面３ａ、３ａ間の目地部２は６個の目地カバー１５、１５ａ、１５ｂ、１５ｃ、１５ｄ、１５ｅのカバー部１４、１４a、１４ｂ、１４ｃ、１４ｄ、１４ｅで覆われ、該カバー部１４、１４a、１４ｂ、１４ｃ、１４ｄ、１４ｅの先端部は前記開口端部４間の線上に一直線状態で位置するため美観が損なわれない、図１および図２に示すような状態で配置された状態となっている。
【００１２】
地震で左右の建物３、３が異なる左右方向に揺れ動き、目地部２が狭くなると図６に示すように少なくとも２個以上の伸縮リンク装置９、９が収縮して、目地カバー１５、１５ａ、１５ｂ、１５ｃ、１５ｄ、１５ｅのカバー部１４、１４a、１４ｂ、１４ｃ、１４ｄ、１４ｅの重なりが大きくなって、その揺れ動きを吸収する。  
【００１３】
地震で左右の建物３、３が異なる左右方向に揺れ動き、目地部２が広くなると図７に示すように少なくとも２個以上の伸縮リンク装置９、９が伸長して、目地カバー１５、１５ａ、１５ｂ、１５ｃ、１５ｄ、１５ｅのカバー部１４、１４a、１４ｂ、１４ｃ、１４ｄ、１４ｅの重なりが小さくなって、その揺れ動きを吸収する。
【００１４】
地震で左右の建物３、３が異なる前後方向の一方向に揺れ動いた場合、図８に示すように少なくとも２個以上の伸縮リンク装置９、９の両端部に取付けられている少なくとも２対のヒンジ部材５、５、５、５の可動部材５ａ、５ａ、５ｂ、５ｂの回動によって、その揺れ動きを吸収する。
【００１５】
地震で左右の建物３、３が異なる前後方向の他方向に揺れ動いた場合、図９に示すように２個以上の伸縮リンク装置９、９の両端部に取付けられている少なくとも２対のヒンジ部材５、５、５、５の可動部材５ａ、５ａ、５ｂ、５ｂの回動によって、その揺れ動きを吸収する。
なお、それぞれの揺れ動きが停止すると、自動的に元の状態へ戻る。
【００１６】
[発明を実施するための異なる形態]
次に、図１０ないし図１７に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００１７】
図１０ないし図１３に示す本発明を実施するための第２の形態において、前記本発明を実施するための第１の形態と主に異なる点は、可動部材５ｃ、５ｃに持出アーム１８、１８を溶接固定あるいはボルト締め固定した一方のヒンジ部材５Ａ、５Ａを用いるとともに、２個の中央枢支部８、８を有するパンタグラフ形状の伸縮リンク装置９Ａ、９Ａを用いた点で、このような一方のヒンジ部材５Ａ、５Ａと伸縮リンク装置９Ａ、９Ａを用いて構成した壁用目地装置１Ａにしても、前記本発明を実施するための第１の形態と同様な作用効果が得られる。
【００１８】
図１４ないし図１７に示す本発明を実施するための第３の形態において、前記本発明を実施するための第１の形態と主に異なる点は、四角枠形状のリンク１９と、このリンク１９の一方の対向するアーム２０、２０に所定間隔で、枢支ピン２１、２１で枢支された中間アーム２２、２３、２４、２５、２６と、前記リンク１９の対向する角部の枢支部２７、２７間に位置する前記中間アーム２２、２３、２４、２５、２６に形成された中央枢支部８、８、８、８、８とからなる伸縮リンク装置９Ｂ、９Ｂを用いた点で、このような伸縮リンク装置９Ｂ、９Ｂを用いて構成した壁用目地装置１Ｂにしても、前記本発明を実施するための第１の形態と同様な作用効果が得られる。
【産業上の利用可能性】
【００１９】
本発明は目地部を介して建てられた左右の建物の壁面間を覆う壁用目地装置を製造する産業で利用される。
【符号の説明】
【００２０】
１、１Ａ、１Ｂ：壁用目地装置、２：目地部、
３：建物、        ４：開口端部、
５：ヒンジ部材、      ６：リンク支持アーム、
７：枢支ピン、      ８：中央枢支部、
９、９Ａ、９Ｂ：伸縮リンク装置、
１０：枢支部、      １１：枢支部、
１２、１２ａ〜１２ｅ：支持片、  １３：支持部、        
１４、１４ａ〜１４ｅ：カバー部、
１５、１５ａ〜１５ｅ：目地カバー、
１６：シール剤層、      １７：防水シート、
１８：持出アーム、      １９：リンク、
２０：アーム、      ２１：枢支ピン、
２２、２３、２４、２５、２６：中間アーム、
２７：枢支部。
【図１】
2012233368.tif 000003
【図２】
2012233368.tif 000004
【図３】
2012233368.tif 000005
【図４】
2012233368.tif 000006
【図５】
2012233368.tif 000007
【図６】
2012233368.tif 000008
【図７】
2012233368.tif 000009
【図８】
2012233368.tif 000010
【図９】
2012233368.tif 000011
【図１０】
2012233368.tif 000012
【図１１】
2012233368.tif 000013
【図１２】
2012233368.tif 000014
【図１３】
2012233368.tif 000015
【図１４】
2012233368.tif 000016
【図１５】
2012233368.tif 000017
【図１６】
2012233368.tif 000018
【図１７】
2012233368.tif 000019